(57)【要約】【課題】  機能の検索が容易な移動通信システム、移動通信方法及び移動通信システムの記録媒体を提供する。【解決手段】  移動通信装置にユーザがキーワードを入力して固定通信装置側に送信すると、固定通信装置側ではオンラインのデータベースからそのキーワードに関連する機能の検索を行い、検索結果を移動通信装置へ送信し、移動通信装置側では検索結果に基づいて各機能の起動を行うので、機能の検索が容易な移動通信システム、移動通信方法及び移動通信システムの記録媒体の提供を実現することができる。移動通信装置が圏外の場合には、移動通信装置に内蔵されたデータベースからキーワードに関連する機能の検索を行うので、移動通信装置が圏外であってもキーワードに関連する機能の検索を行うことができる。【選択図】  図１
2005136574.tif 000002
【特許請求の範囲】
【請求項１】
固定通信装置と、該固定通信装置を介して無線でデータを交換する移動通信装置とを有する移動通信システムにおいて、
前記移動通信装置に設けられユーザが前記移動通信装置の機能に関連するキーワードを入力するための入力手段と、
前記固定通信装置に設けられ前記キーワードが前記移動通信装置から前記固定通信装置に送信されると、データベースから前記キーワードに関連する機能の検索を行い、前記固定通信装置に検索結果としてショートカット一覧を送ると共に前記固定通信装置から前記移動通信装置に前記ショートカット一覧を送信させるサーバと、
前記移動通信装置に設けられ前記固定通信装置から送信されたショートカット一覧を画像表示する画像表示手段と、
前記移動通信装置に設けられユーザの選択に基づいて前記機能を起動させる制御手段と、
を備えたことを特徴とする移動通信システム。
【請求項２】
前記ショートカット一覧はオンライン版取扱説明書にリンクしていることを特徴とする請求項１記載の移動通信システム。
【請求項３】
前記移動通信装置は、前記機能に関する必要最低限のデータベースを保持する記憶手段を備え、
前記制御手段が前記移動通信装置は圏外にあると判断したときに、前記ユーザにより前記キーワードが入力されると前記データベースから前記キーワードに関連する機能の検索を行い、前記画像表示手段に画像表示させることを特徴とする請求項１記載の移動通信システム。
【請求項４】
複数の移動通信装置が固定通信装置を介して無線でデータを交換する移動通信方法において、
前記移動通信装置の機能に関連するキーワードが前記移動通信装置に入力され、前記キーワードが前記移動通信装置から前記固定通信装置に送信されると、サーバがデータベースから前記キーワードに関連する機能の検索を行い、前記サーバが前記固定通信装置に検索結果としてのショートカット一覧を送ると共に、前記移動通信装置に該ショートカット一覧を送信させ、
前記移動通信装置が前記固定通信装置から送信された前記ショートカット一覧を画像表示すると共にユーザの選択に基づいて前記機能を起動させる、
ことを特徴とする移動通信方法。
【請求項５】
前記ショートカット一覧はオンライン版取扱説明書にリンクしていることを特徴とする請求項４記載の移動通信方法。
【請求項６】
前記制御手段が前記移動通信装置は圏外にあると判断したときに、前記キーワードが入力されると前記移動通信装置に内蔵された記憶手段の機能に関する必要最低限のデータベースから前記キーワードに関連する機能の検索を行い、画像表示させることを特徴とする請求項４記載の移動通信方法。
【請求項７】
複数の移動通信装置が固定通信装置を介して無線でデータを交換する際に前記固定通信装置に接続されたサーバによって前記移動通信装置の機能に関する検索を行わせるためのプログラムを記録した移動通信システムの記録媒体であって、
移動通信装置の機能に関連するキーワードが前記移動通信装置に入力され、前記キーワードが前記移動通信装置から前記固定通信装置に送信されると、データベースから前記キーワードに関連する機能の検索を行う処理と、
前記固定通信装置に検索結果を送ると共に、前記移動通信装置に検索結果を送信させる処理と、
を前記サーバに実行させるプログラムを記録したことを特徴とする移動通信システムの記録媒体。
【発明の詳細な説明】
【技術分野】
【０００１】
本発明は、携帯電話機、PDA、携帯型テレビ電話機等の移動通装置を用いた移動通信システム、移動通信方法及び移動通信システムの記録媒体に関する。
【背景技術】
【０００２】
現在、携帯電話機、PDA、携帯型テレビ電話機等の移動通信端末に搭載される機能は非常に多くなっており、今後も搭載される機能が増加することが予測される。
例えば、移動通信端末としての携帯電話機を用いて商品購入における決済を行ったり（例えば特許文献１参照）、カメラ付きの携帯電話機で人物や風景を撮影したり（例えば特許文献２参照）すること等が挙げられる。
ところで、携帯電話機で決済、カメラ撮影、テレビジョン放送の視聴等の機能が付加されるにつれて、各種設定、機能の呼び出しなどの操作も増加し、機能の増加ごとに取扱説明書の内容が多くなっているので、ユーザが取扱説明書から機能を探し出し、設定変更などを行うことが困難となってきている。
このため、メニュー画面または設定画面が表示された状態でヘルプキーが押されると、ディスプレイの表示がメニュー画面からヘルプ画面に移行する携帯型通信端末が提案されている（例えば特許文献３）。
【特許文献１】特開平１１−８５８６５号公報
【特許文献２】特開２００１−８６０４６号公報
【特許文献３】特開２００１−１４７７９７号公報
【発明の開示】
【発明が解決しようとする課題】
【０００３】
しかしながら、携帯電話機というメモリの容量の制限があるハードウェアでは、すべての検索条件を網羅したデータベースを搭載することは困難である。
【０００４】
そのため、オンラインのデータベースを使用して機能の検索を行い、直接起動できる機能を有する携帯電話機が必要となる。
そこで、本発明の目的は、機能の検索が容易な移動通信システム、移動通信方法及び移動通信システムの記録媒体を提供することにある。
【課題を解決するための手段】
【０００５】
本発明の目的を達成するために請求項１記載の発明は、固定通信装置と、該固定通信装置を介して無線でデータを交換する移動通信装置とを有する移動通信システムにおいて、前記移動通信装置に設けられユーザが前記移動通信装置の機能に関連するキーワードを入力するための入力手段と、前記固定通信装置に設けられ前記キーワードが前記移動通信装置から前記固定通信装置に送信されると、データベースから前記キーワードに関連する機能の検索を行い、前記固定通信装置に検索結果としてショートカット一覧を送ると共に前記固定通信装置から前記移動通信装置に前記ショートカット一覧を送信させるサーバと、前記移動通信装置に設けられ前記固定通信装置から送信されたショートカット一覧を画像表示する画像表示手段と、前記移動通信装置に設けられユーザの選択に基づいて前記機能を起動させる制御手段と、を備えたことを特徴とする。
【０００６】
請求項２記載の発明は、請求項１記載の発明において、前記ショートカット一覧はオンライン版取扱説明書にリンクしていることを特徴とする。
【０００７】
請求項３記載の発明は、請求項１記載の発明において、前記移動通信装置は、前記機能に関する必要最低限のデータベースを保持する記憶手段を備え、前記制御手段が前記移動通信装置は圏外にあると判断したときに、前記ユーザにより前記キーワードが入力されると前記データベースから前記キーワードに関連する機能の検索を行い、前記画像表示手段に画像表示させることを特徴とする。
【０００８】
請求項４記載の発明は、複数の移動通信装置が固定通信装置を介して無線でデータを交換する移動通信方法において、前記移動通信装置の機能に関連するキーワードが前記移動通信装置に入力され、前記キーワードが前記移動通信装置から前記固定通信装置に送信されると、サーバがデータベースから前記キーワードに関連する機能の検索を行い、前記サーバが前記固定通信装置に検索結果としてのショートカット一覧を送ると共に、前記移動通信装置に該ショートカット一覧を送信させ、前記移動通信装置が前記固定通信装置から送信された前記ショートカット一覧を画像表示すると共にユーザの選択に基づいて前記機能を起動させる、ことを特徴とする。
【０００９】
請求項５記載の発明は、請求項４記載の発明において、前記ショートカット一覧はオンライン版取扱説明書にリンクしていることを特徴とする。
【００１０】
請求項６記載の発明は、請求項４記載の発明において、前記制御手段が前記移動通信装置は圏外にあると判断したときに、前記キーワードが入力されると前記移動通信装置に内蔵された記憶手段の機能に関する必要最低限のデータベースから前記キーワードに関連する機能の検索を行い、画像表示させることを特徴とする。
【００１１】
請求項７記載の発明は、複数の移動通信装置が固定通信装置を介して無線でデータを交換する際に前記固定通信装置に接続されたサーバによって前記移動通信装置の機能に関する検索を行わせるためのプログラムを記録した移動通信システムの記録媒体であって、移動通信装置の機能に関連するキーワードが前記移動通信装置に入力され、前記キーワードが前記移動通信装置から前記固定通信装置に送信されると、データベースから前記キーワードに関連する機能の検索を行う処理と、前記固定通信装置に検索結果を送ると共に、前記移動通信装置に検索結果を送信させる処理と、を前記サーバに実行させるプログラムを記録したことを特徴とする。
【発明の効果】
【００１２】
移動通信装置にユーザがキーワードを入力して固定通信装置側に送信すると、固定通信装置側ではオンラインのデータベースからそのキーワードに関連する機能の検索を行い、検索結果を移動通信装置へ送信し、移動通信装置側では検索結果に基づいて各機能の起動を行うので、機能の検索が容易な移動通信システム、移動通信方法及び移動通信システムの記録媒体の提供を実現することができる。移動通信装置が圏外の場合には、移動通信装置に内蔵されたデータベースからキーワードに関連する機能の検索を行うので、移動通信装置が圏外にあってもキーワードに関連する機能の検索を行うことができる。
【発明を実施するための最良の形態】
【００１３】
本発明の移動通信システムにおいて、ユーザが移動通信システムの移動通信装置としての携帯電話機のヘルプ画面にて検索したい内容を文字入力し、固定通信装置（若しくは中継装置を介して固定通信装置）と無線で接続したとき（オンライン）、検索ボタンを押し下げると、携帯電話機がデータベースより検索し、対象機能のショートカット一覧を取得し、携帯電話機の画面上に表示し、ユーザがそのショートカットを選択ことにより各種設定機能を起動するようになっている。
また、本発明の移動通信システムにおいて、移動通信装置としての携帯電話機が圏外にあったとき(オフライン)には、小規模のデータベースが携帯電話機内に保持されているので、キーワード検索や、機能の起動を行うことができるようになっている。
【００１４】
図1に本発明の移動通信方法を適用した移動通信システムにおけるキーワード入力からデータ取得、機能起動までのイメージの一実施の形態を示す。
本発明の通信システムは、携帯電話機201と、携帯電話機会社102の固定通信装置（図示せず。）と、サーバ102-1と、サーバ102-1に接続されたハードディスク内のデータベース102-2とで構成されている。尚、図1の符号のa、bは時間的な変化を示すものであり、例えばヘルプ画面101-3aとヘルプ画面101-3bとは同一の携帯電話機201のヘルプ画面である。
図1において、携帯電話機201a（201：図2）の画面101aに待受け表示101-1a、検索表示101-2a及びヘルプ画面101-3aが示されている。
携帯電話機201から携帯電話機会社102の固定通信装置（図示せず。）に接続されたサーバ102-1にキーワード検索要求信号が送信されるようになっている。
携帯電話機会社102内ではサーバ102-1がデータベースを検索し、検索結果のリスト（結果リスト）102-3を作成し、結果リスト102-3を固定通信装置から携帯電話機201bに返却（送信）するようになっている。
【００１５】
携帯電話機201bはサーバ102-1が作成したリスト102-3を受信すると、制御部211がヘルプ画面101-3bにショートカット一覧を表示させるようになっている。
ユーザが検索ボタンを押し下げる等のキー操作によりリストから所望の機能を選択すると、携帯電話機201bは画面表示設定を行うと同時に機能を起動するようになっている。
【００１６】
図2に本発明の移動通信方法を適用した移動通信システムに用いられる移動通信装置としての携帯電話機のブロック図を示す。
携帯電話機201は、電波を送受信するアンテナ（例えば、ホイップアンテナ、ロッドアンテナ、ヘリカルアンテナ、パッチアンテナ等の無指向性アンテナ、ダイポールアンテナや逆Ｌアンテナ等の指向性アンテナ）202と、送信及び受信を行うための無線部212と、携帯電話機201の動作を統括制御する制御部211とを有する。
【００１７】
携帯電話機201は、送受信部としての無線部212と、無線部212へ送出する信号または無線部212からの信号を処理する信号処理部213と、各種キー操作を行うためのキー操作部215と、各種情報を表示する表示部（例えば液晶パネル）214と、前述の無線部212、信号処理部213、表示部214、及びキー操作部215などの要素を制御する制御部211と、前述の制御部211に接続され、受信した文字メッセージの表示や各種機能のショートカットの表示を行うための文字フォント、絵文字、シンボルマークなどのデータや携帯電話機201の機能についてのデータベースを有するROM216と、制御部211に接続され受信したメールのデータ、画像のデータ及び音声のデータを記録するRAM217と、カメラ219と、スピーカ221と、マイクロフォン222とで構成されている。
【００１８】
RAM217は、カメラ219で撮影した写真画像のデータを記録するための画像記録部と、送受信メールやアドレスなどの文字データを記録する文字記録部とを有している。
【００１９】
信号処理部213は、無線部212で受信した通常の通話データを音声データに変換する機能を有する。信号処理部213で音声データに変換された信号はスピーカ221で発音される。
カメラ219には例えばCCDを用いたデジタルカメラ(若しくはCMOSカメラ)が用いられる。
図3に本発明の移動通信方法におけるキーワード入力からデータ取得、機能起動までの処理フローを示す。
【００２０】
（実施の形態の動作）
次に本発明の移動通信システムの動作について説明する。
ユーザが携帯電話機201aをキー操作してキーワードを入力すると（ステップS1）、携帯電話機201a（図1参照）は電波状態をチェックし、携帯電話機201aが圏内にあるか否かを判断する（ステップS2）。
携帯電話機201aは、携帯電話機201aが圏内にあると判断した場合にはステップS3に進み、携帯電話機会社102のサーバ102-1と接続する。携帯電話機201aがサーバ102-1と接続した後、ユーザがキー操作を行って、キーワードを検索するための信号（キーワード検索要求信号）を送信する（ステップS3）。
【００２１】
図1に示す画面101aはユーザが携帯電話機201aのキー操作により、キーワード検索要求（送信）を行った直後の状態を示している（従って、この段階ではヘルプ画面101-3aにはまだ何も表示されない。）。
携帯電話機201aからキーワード検索要求が行われると、携帯電話機会社102の固定通信装置（図示せず）が受信し、サーバ102-1がキーワードに関連する機能をデータベース102-2で検索し、図1に示すように検索結果としてのリスト102-3を作成する。
【００２２】
携帯電話機会社102のサーバ102-1から携帯電話機201bに結果リスト102-3が送信（返却）され、携帯電話機201bで受信すると（ステップS4）、ヘルプ画面101-3bには例えば、［1］画面表示設定、［2］イメージウィンドウ、［3］デスクトップ、［4］マイピクチャ、［5］カメラ等のリスト（ショートカット一覧）が表示される（ステップS6）。
【００２３】
ここで、「［1］画面表示設定」は、背景画面や時計表示等をどのようにするかを設定するためのショートカットであり、「［2］イメージウィンドウ」は、例えば折り畳み型の携帯電話機の表側と内側との２画面を有する場合の表側の画面の設定を行うためのショートカットであり、「［3］デスクトップ」は、携帯電話機の電源を投入したときの立ち上げ画面の設定を行うためのショートカットであり、「［4］マイピクチャ」は、内蔵カメラで撮影した画像を編集したりアルバムとして保存したりするためのショートカットであり、「［5］カメラ」は、内蔵カメラで接写撮影したり、連続撮影したりする等の設定を行うためのショートカットである。
【００２４】
ユーザが携帯電話機201bのヘルプ画面101-3bに表示されたリストの中からキー操作により所望のショートカットを選択すると（ステップS7）、携帯電話機201bの制御部211はリストから選択されたショートカットに関連する各種機能を起動させると同時に画面表示設定を行う（ステップS8）。携帯電話機201bがその機能を起動させると、画面101bを消去し、その機能に合わせて画面表示設定及び機能を起動させ、それに合わせた画面103を表示するようになっている。
【００２５】
一方、携帯電話機201aはステップS2で携帯電話機201aが圏内にないと判断した場合には、ステップS5に進み、携帯電話機201aが内蔵するROM216（図２参照）内のデータベースから検索し、ヘルプ画面101-3bにショートカット一覧を表示する（ステップS6）。ショートカット一覧表示後の処理は前述と同様であるので省略する。
【００２６】
（効果の説明）
本実施の形態によれば、従来のようにユーザが取扱説明書を参照したり、メニューの階層を追っていかなくても各種設定機能の起動が可能となる。また、携帯電話内に変更可能な小規模のデータベースをおくことによって、ユーザ自身がキーワードを設定でき
る。
尚、本実施の形態では、オンライン時にショートカット一覧を表示する場合で説明したが、本発明はこれに限定されるものではなく、オンライン時にはショートカットだけでなく、オンライン版取扱説明書へのリンクなどを行うようにしてもよい。
また、本実施の形態では移動通信装置が携帯電話機の場合で説明したが、PDA(Personal Digital Assistants:携帯情報端末)や携帯型テレビ電話機等の画像表示手段を有する移動通信装置に適用してもよい。
【００２７】
さらに、本実施の形態では移動通信システムの場合について説明したが、本発明はこれに限定されるものではなく、移動通信システムの記録媒体に適用してもよい。
すなわち、複数の移動通信装置が固定通信装置を介して無線でデータを交換する際に固定通信装置に接続されたサーバによって移動通信装置の機能に関する検索を行わせるためのプログラムを記録した移動通信システムの記録媒体であって、移動通信装置の機能に関連するキーワードが移動通信装置に入力され、キーワードが移動通信装置から固定通信装置に送信されると、データベースからキーワードに関連する機能の検索を行う処理と、固定通信装置に検索結果を送ると共に、移動通信装置に検索結果を送信させる処理と、をサーバに実行させるプログラムを記録した移動通信システムの記録媒体に適用してもよい。
記録媒体としては例えばフレキシブルディスク、CD-ROM、ハードディスク等が挙げられる。
【図面の簡単な説明】
【００２８】
【図１】本発明の移動通信方法を適用した移動通信システムにおけるキーワード入力からデータ取得、機能起動までのイメージの一実施の形態を示す図である。
【図２】本発明の移動通信方法を適用した移動通信システムに用いられる移動通信装置としての携帯電話機のブロック図である。
【図３】本発明の移動通信方法におけるキーワード入力からデータ取得、機能起動までの処理フローを示す図である。
【符号の説明】
【００２９】
１０１ａ、１０１ｂ、１０３    画面
１０１−１ａ、１０１−１ｂ    待受け表示
１０１−２ａ、１０１−１ｂ    検索表示
１０１−３ａ、１０１−３ｂ    ヘルプ画面
１０２    携帯電話機会社
１０２−１    サーバ
１０２−２    データベース
１０２−３    リスト
【図１】
2005136574.tif 000003
【図２】
2005136574.tif 000004
【図３】
2005136574.tif 000005